(57)【要約】  【課題】  迅速に水分を排出して、断熱材の乾燥を早めることのできる床用断熱材、床断熱構造及び床断熱構造の施工方法並びに床断熱パネルを提供する。【解決手段】  本発明は、マット状の断熱材の底面にシート状の支持材が当接された床用断熱材であって、前記支持材２５の少なくとも一部に親水剤が付与されている。床用断熱材１０の支持材２５に親水剤が付与されているため、断熱材２０が浸水した場合に水分を支持材より迅速に排出し、断熱材の乾燥を早めることができる。併せて、この床用断熱材１０を用いた床断熱構造１及び床断熱パネル３０を提供する。【選択図】  図４
2012033185.tif 000002
【特許請求の範囲】
【請求項１】
マット状の断熱材の底面にシート状の支持材が貼着された床用断熱材であって、
前記支持材が透湿性を有し、且つ、前記支持材の少なくとも一部に親水剤が付与されていることを特徴とする床用断熱材。
【請求項２】
前記支持材は、前記親水剤を噴霧、塗布又は含浸することにより得られたものである請求項１記載の床用断熱材。
【請求項３】
前記支持材が、有機繊維を含む不織布である請求項1または２に記載の床用断熱材。
【請求項４】
前記支持材は、前記断熱材の両側面を覆い、フランジ状に延出して耳部を構成できる長さを有する請求項１〜３のいずれか１項に記載の床用断熱材。
【請求項５】
前記支持材の耳部には前記親水剤が付与されていない請求項４に記載の床用断熱材。
【請求項６】
前記支持材の耳部及び前記断熱材の両側面を覆う部分には前記親水剤が付与されていない請求項４に記載の床用断熱材。
【請求項７】
前記支持材の耳部、前記断熱材の両側面を覆う部分、前記断熱材下面の端縁から５ｍｍ以内には親水剤が付与されていない請求項４に記載の床用断熱材。
【請求項８】
枠体と、
前記枠体間に充填された断熱材と、
前記断熱材の下面を支持しかつ枠体に固定された支持材と、
前記枠体及び前記断熱材の上部を覆う面材と、を有し、
前記支持材の少なくとも一部に親水剤が付与されていることを特徴とする床断熱構造。
【請求項９】
前記支持材は、前記親水剤を噴霧、塗布又は含浸することにより得られたものである請求項８記載の床断熱構造。
【請求項１０】
前記支持材が、有機繊維を含む不織布である請求項８または９に記載の床断熱構造。
【請求項１１】
前記支持材は幅方向の少なくとも一方の端部が、前記断熱材の側面を覆うとともに前記枠体上面と前記面材との間に挟持されている請求項８〜１０のいずれか１項に記載の床断熱構造。
【請求項１２】
前記支持材は、前記枠体の下面又は内面側に固定されている請求項８〜１０のいずれか１項に記載の床断熱構造。
【請求項１３】
前記支持材は、枠材と当接する部分には親水剤が付与されていない請求項８〜１２項のいずれか１項に記載の床断熱構造。
【請求項１４】
前記支持材は、前記枠材と当接する部分及び前記枠体側の端縁から５ｍｍ以内には親水剤が付与されていない請求項８〜１２項のいずれか１項に記載の床断熱構造。
【請求項１５】
前記支持材が前記断熱材の下面を帯状に支持している請求項８〜１４項のいずれか１項に記載の床断熱構造。
【請求項１６】
枠体と、
前記枠体間に充填された断熱材と、
前記断熱材の下面を支持する支持材と、
前記枠体及び前記断熱材の上部を覆う面材と、を有し、
前記支持材の少なくとも一部に親水剤が付与されており、前記支持材が前記面材に取り付けられていることを特徴とする床断熱構造。
【請求項１７】
支持材において親水剤が付与された部分が枠体間に位置するように該支持材を枠体に固定する工程と、
前記枠体間に断熱材を充填する工程と、
前記枠体の上部を面材で覆う工程と、を有することを特徴とした床断熱構造の施工方法。
【請求項１８】
断熱材と、
前記断熱材の下面及び両側面に当接されかつ該両側面から延出した耳部を有する支持材と、
前記断熱材の上面に当接され当該上面よりも拡寸の面材と、を有し、
前記支持材の耳部と前記面材とが固定されており、かつ前記支持材は前記断熱材に当接する面の少なくとも一部に親水剤が付与されていることを特徴とする床断熱パネル。
【発明の詳細な説明】
【技術分野】
【０００１】
本発明は、住宅等の建築物における枠体間に施工される床断熱用の部材に関し、特に、断熱材とその下面に配置される支持材を有する床用断熱材、さらに枠体と枠体及び断熱材の上部を覆う面材を有する床断熱構造及び床断熱構造の施工方法並びに床用断熱材と面材を有する床断熱パネルに関する。
【背景技術】
【０００２】
従来より、住宅等の建築物においては、省エネルギーおよび快適な居住環境づくりの観点から、枠体の大引や根太間に断熱材を取り付けることが行われている。
この際に、断熱材の底面に不織布を貼着して補強し、受け材を用いることなく施工できる床用断熱材が提案されている（例えば特許文献１参照）。【０００３】
図９に示すように、特許文献１に記載の床用断熱材１００では、板状に成形され、柔軟性を有する断熱板１０１の片面（底面）に不織布１０２を貼着している。このとき、不織布１０２は、断熱板１０１の少なくとも一方の端縁から５ｍｍ以上離れて接着層１０５により貼着されている。また、不織布１０２には、幅方向の両側に延出した延出部１０３、１０３が設けられている。
従って、床用断熱材１００を枠体の大引間や根太間に施工すると、不織布１０２の延出部１０３は、床用断熱材１００の両側面１０４、１０４を覆うとともに、さらに大引又は根太の上面まで達する。【０００４】
この不織布１０２が、断熱板１０１の少なくとも一方の端縁から５ｍｍ以上離れて貼着されているので、断熱板１０１の幅が取付部位の寸法よりも大きすぎる場合に、不織布１０２が貼着されていない部分で断熱板１０１を容易にカットすることができる。
【先行技術文献】
【特許文献】
【０００５】
【特許文献１】特開２００８−１９６２７０号公報（第１図）
【発明の概要】
【発明が解決しようとする課題】
【０００６】
しかしながら、前述した特許文献１に記載の床用断熱材１００においては、施工途中の降雨等より、断熱板１０１に水が含まれる場合があり、不織布を用いて水分を排出させることで断熱板１０１の乾燥を早めているものの、きびしい降雨により多量の水に曝される場合に、より迅速に水分を排出することが十分でない場合があった。【０００７】
したがって、本発明は、前述したような従来の問題を解決するためになされたもので、迅速に水分を排出することが可能な床用断熱材、床断熱構造及び床断熱構造の施工方法及び床断熱パネルを提供することを目的とする。
【課題を解決するための手段】
【０００８】
（床用断熱材）
本発明の床用断熱材は、マット状の断熱材の底面にシート状の支持材が貼着された床用断熱材であって、前記支持材が透湿性を有し、且つ前記支持材の少なくとも一部に親水剤が付与されていることを特徴とする。【０００９】
この構成により、施工途中で断熱材に雨がかかった場合などでも、断熱材に浸入し下方に移動した水分が支持材面から容易に排出され、断熱材中の乾燥を早めることができる。【００１０】
また、本発明の床用断熱材では、前記支持材は、前記親水剤を噴霧、塗布又は含浸させることにより得られたものが好ましい。【００１１】
これによれば、支持材の表面に親水剤が付着しているので、支持材の排水性が向上するものである。【００１２】
また、本発明の床用断熱材では、前記支持材が、有機繊維を含む不織布であることが好ましい。【００１３】
これによれば、支持材に不織布を用いることにより排水性と強度を両立することができ、不織布に有機繊維を用いることで、軽量性、取り扱い性に優れる。【００１４】
また、本発明の床用断熱材では、前記支持材は、前記断熱材の両側面を覆い、フランジ状に延出して耳部を構成できる長さを有することが好ましい。【００１５】
これによれば、支持材が断熱材の下面から両側面を覆うとともに耳部がフランジ状に延出しているので、耳部を固定することにより、根太間、大引間に容易に断熱材を施すことが可能となる。【００１６】
また、本発明の床用断熱材では、前記支持材の耳部には前記親水剤が付与されていないことが好ましい。【００１７】
これによれば、支持材の耳部には親水剤を付与していないので、根太又は大引等の床組と床板での保水及び吸水による劣化やカビの発生を防止することができる。【００１８】
また、本発明の床用断熱材では、前記支持材の耳部及び前記断熱材の両側面を覆う部分には前記親水剤が付与されていないことが好ましい。【００１９】
これによれば、支持材の耳部および断熱材の両側面には親水剤を付与していないので、根太又は大引等の床組と床板での保水及び吸水による劣化やカビの発生を防止することができる。【００２０】
また、本発明の床用断熱材では、前記支持材の耳部、前記断熱材の両側面を覆う部分、前記断熱材下面の端縁から５ｍｍ以内には親水剤が付与されていないことが好ましい。【００２１】
これによれば、支持材の耳部、断熱材の両側面および断熱材下面の端縁部には親水剤を付与していないので、根太又は大引等の床組と床板での保水及び吸水による劣化やカビの発生を防止することができる。【００２２】
（床断熱構造）
本発明の床断熱構造は、枠体と、前記枠体間に充填された断熱材と、前記断熱材の下面を支持しかつ枠体に固定された支持材と、前記枠体及び前記断熱材の上部を覆う面材と、を有し、前記支持材の少なくとも一部に親水剤が付与されていることを特徴とする。【００２３】
この構成により、支持材の少なくとも一部に親水剤が付与されているので、施工途中で断熱材に雨がかかった場合などでも、断熱材に浸入し下方に移動した水分が支持材から容易に排出され易く、迅速に水分を排出して、断熱材中の乾燥を早めることができる。
これにより、面材や枠体への吸水およびこの吸水による劣化やカビの発生を防止することができる。【００２４】
また、本発明の床断熱構造では、前記支持材は、前記親水剤を噴霧、塗布又は含浸することにより得られたものが好ましい。【００２５】
これによれば、支持材の表面に親水剤が付着しているので、支持材の排水性が向上するものである。【００２６】
また、本発明の床断熱構造では、前記支持材が、有機繊維を含む不織布であることが好ましい。【００２７】
これによれば、支持材に不織布を用いることにより排水性と強度を両立することができ、不織布に有機繊維を用いることで、軽量性、取り扱い性、施工性に優れる。【００２８】
また、本発明の床断熱構造では、前記支持材は幅方向の少なくとも一方の端部が、前記断熱材の側面を覆うとともに前記枠体上面と前記面材との間に挟持されていることが好ましい。【００２９】
これによれば、支持材の端部で断熱材の下面から側面を覆うとともに、枠体上面と面材との間に挟持するので、支持材を介して断熱材を枠体に確実に取り付けることができる。【００３０】
また、本発明の床断熱構造では、前記支持材は、前記枠体の下面又は内面側に固定されていることが好ましい。【００３１】
これによれば、支持材が断熱材に接しないいわゆる延出部を有していることにより、枠体への固定が容易となり、根太間、大引間に容易に断熱材を施すことが可能となる。【００３２】
また、本発明の床断熱構造では、前記支持材は、枠材と当接する部分には親水剤が付与されていないことが好ましい。【００３３】
これによれば、枠材と当接する部分には親水剤を付与していないので、根太又は大引等の枠体や面材での保水及び吸水による劣化やカビの発生を防止することができる。【００３４】
また、本発明の床断熱構造では、前記支持材は、前記枠材と当接する部分及び前記枠体側の端縁から５ｍｍ以内には親水剤が付与されていないことが好ましい。【００３５】
これによれば、枠体、断熱材の両側面および断熱材下面の端縁部に当接する部分には親水剤が付与されていないので、根太又は大引等の枠体と面材での保水及び吸水による劣化やカビの発生を防止することができる。【００３６】
また、本発明の床断熱構造では、前記支持材が前記断熱材の下面を帯状に支持していることが好ましい。【００３７】
これによれば、支持材により断熱材を支えることができると共に支持材が断熱材の全面ではなく部分的に配置されているため、断熱材に浸入し下方に移動した水分が支持材面と断熱材面から容易に排水することができる。【００３８】
また、本発明の床断熱構造では、枠体と、前記枠体間に充填された断熱材と、前記断熱材の下面を支持する支持材と、前記枠体及び前記断熱材の上部を覆う面材と、を有し、前記支持材の少なくとも一部に親水剤が付与されており、前記支持材が前記面材に取り付けられていることを特徴とする。【００３９】
これによれば、支持材の少なくとも一部に親水剤が付与されているので、施工途中で断熱材に雨がかかった場合などでも、断熱材に浸入し下方に移動した水分が支持材から容易に排出され易く、迅速に水分を排出して、断熱材中の乾燥を早めることができる。
これにより、面材への吸水およびこの吸水による劣化やカビの発生を防止することができる。【００４０】
（床断熱構造の施工方法）
本発明の床断熱構造の施工方法は、支持材において親水剤が付与された部分が枠体間に位置するように該支持材を枠体に固定する工程と、前記枠体間に断熱材を充填する工程と、前記枠体の上部を面材で覆う工程と、を有することを特徴とする。【００４１】
これによれば、最初に軽量で取り扱い性が容易な支持材を枠体に施工するので、比較的容易に取り回しや位置決めができ、親水剤が付与された部分を枠体間に確実に配置することができる。そして、枠体間に断熱材を充填し、枠体及び断熱材の上部を面材で覆うので、容易に施工できる。【００４２】
（床断熱パネル）
また、本発明の床断熱パネルは、断熱材と、前記断熱材の下面及び両側面に当接されかつ該両側面から延出した耳部を有する支持材と、前記断熱材の上面に当接され当該上面よりも拡寸の面材と、を有し、前記支持材の耳部と前記面材とが固定されており、かつ前記支持材は前記断熱材に当接する面の少なくとも一部に親水剤が付与されていることを特徴とする。【００４３】
これによれば、予め床板等の面材と断熱材と支持材が一体となっているため、枠体の上に載置すると同時に枠体内へ断熱材が充填することができ施工が極めて容易になる。
また、支持材の少なくとも一部に親水剤が付与されているので、施工途中で断熱材に雨がかかった場合などでも、断熱材に浸入し下方に移動した水分が支持材から容易に排出され易く、迅速に水分を排出して、床断熱パネル中の乾燥を早めることができる。
【発明の効果】
【００４４】
本発明では、支持材に親水剤が付与されていることにより、断熱材に含まれた水分が下方へ移動してきたときに速やかに支持材から水分を排出して断熱材の乾燥を早めることができる。これにより、面材や枠体への吸水およびこの吸水による劣化やカビの発生を防止することができるという効果を有する床用断熱材、床断熱構造及び床断熱構造の施工方法及び床断熱パネルを提供することができるものである。
【図面の簡単な説明】
【００４５】
【図１】本発明に係る第１実施形態の床用断熱材の取付作業の斜視図である。
【図２】本発明に係る第１実施形態の床用断熱材の断面図である。
【図３】本発明に係る第２実施形態の床断熱構造の斜視図である。
【図４】本発明に係る第２実施形態の床断熱構造の１例を示す断面図である。
【図５】本発明に係る第２実施形態の床断熱構造の別の例を示す断面図である。
【図６】本発明に係る第２実施形態の床断熱構造の別の例を示す断面図である。
【図７】本発明に係る第２実施形態の床断熱構造の別の例を示す断面図である。
【図８】本発明に係る第３実施形態の床断熱パネルの断面図である。
【図９】従来の床用断熱材の斜視図である。
【発明を実施するための形態】
【００４６】
（第１実施形態の床用断熱材）
以下、本発明にかかる第１実施形態の床用断熱材について、図面を用いて説明する。
図１に示すように、第１実施形態にかかる床用断熱材１０は、住宅等の床組１１の間に取り付けて、主に断熱を図るものである。例えば、床組１１を構成する大引１２の間や、大引１２の上の根太と根太の間に取り付けて使用することができる。
【００４７】
図２に示すように、第１実施形態にかかる床用断熱材１０は、床用断熱材１０の底面２４に、シート状の支持材２５を貼着したものである。
【００４８】
支持材２５は、床用断熱材１０の底面２４全面を覆う底面部２５１と、床用断熱材１０の端面を覆う厚み部２５２と、断熱材２０の幅方向両側に延長された耳部２５３とを有する。耳部２５３は、床用断熱材１０を大引１２間に取り付けた際に、大引１２の上面を覆うので、この耳部２５３を大引１２の上面に固定することにより、床用断熱材１０は受け材を用いずに、容易に床組１１に取り付けることができるため、取付作業の効率を向上させるとともに、部品点数を減少させてコストダウンを図ることができる。
【００４９】
支持材２５としては透湿性を有することを必須とする。支持材２５の形態としては透湿性を有していれば特に限定せず、例えば、不織布、織物、メッシュ、ネット、有孔フィルムなどが挙げられ、排水可能な程度に支持材２５に孔を有していることが好ましく、排水効率を高めるために更にこれらに孔を開けることができる。
支持材２５の耳部２５３を床組１１に取り付ける場合は、特に排水性、引裂き強度、屈曲性、経済性の観点から不織布を用いることが好ましい。
【００５０】
支持材２５として不織布や織物など繊維を用いる場合は、例えばポリエステル樹脂、ポリオレフィン樹脂等の有機繊維や、セルロース、パルプ等の天然繊維や、ガラス繊維等の無機繊維などを、接着、溶着等の手段でシート状に成形したものが使用できるが、引裂強度、耐屈曲性、経済性などの観点から、特に有機繊維を利用したものが好ましく使用される。
【００５１】
また、本発明の支持材２５としては支持材２５の少なくとも一部に親水剤が付与されていることを必須とする。支持材２５は断熱材２０の両側面２１を覆い、フランジ状に延出して耳部２５３を構成した場合は、根太又は大引１２に接する支持材２５の耳部２５３、更には断熱材２０の両側面２１を覆う厚み部２５２に、親水剤が付与されていないことが、根太又は大引１２への吸水およびこの吸水による劣化やカビの発生を防止することができるため好ましい。更に支持材２５は断熱材２０の底面２４の側辺から５ｍｍ以上離れて親水剤が付与されていることが好ましい。更にまた、支持材２５は幅方向の中央部にのみ親水剤を付与し、床組１１と接する部分に親水剤を有さないことも好適に採用される。
【００５２】
支持材２５に親水剤を付与する方法は特に限定しないが、支持材２５の基材に親水剤を噴霧、塗布又は含浸させる方法や、繊維をバインダーを用いて結着させる場合はバインダーと共に親水剤を加えて用いる方法や、予め支持材２５を構成する有機繊維など親水剤を練り込んだもの等を用いることができる。なかでも支持材２５の基材に親水剤を噴霧、塗布又は含浸させて得られる方法を用いることが、親水性効果を発現させやすく、また初期の性能に優れるためより好ましく採用される。
【００５３】
上記親水処理に用いる親水処理剤としては、特に限定は無く、従来公知の親水処理剤を用いることができ、アニオン系界面活性剤、ノニオン系界面活性剤、両性イオン界面活性剤等が好ましく挙げられ、これらの親水処理剤を、目的や用途に応じて適宜選択することができる。
【００５４】
上記アニオン系界面活性剤としては、脂肪酸ナトリウム、脂肪酸カリウム、アルファスルホ脂肪酸エステルナトリウム、アルキルベンゼンスルホン酸ナトリウム、アルキル硫酸エステルナトリウム、アルキルエーテル硫酸エステルナトリウム、アルファオレフィンスルホン酸ナトリウム、アルキルスルホン酸ナトリウム等が挙げられる。上記両性イオン界面活性剤としては、アルキルアミノ脂肪酸ナトリウム、アルキルベタイン、アルキルアミンオキシド等が挙げられる。上記ノニオン系界面活性剤としては、ポリオキシエチレンアルキルエーテル、ポリオキシエチレンアルキルフェニルエーテル、ポリプロピレングリコールエチレンオキサイド加物等のポリエチレングリコール型、ショ糖脂肪酸エステルソルビタン脂肪酸エステル、ポリオキシエチレンソルビタン脂肪酸エステル、脂肪酸アルカノールアミド等の多価アルコール型が挙げられ、これらを単独又は複数の組合せにより用いることができる。これらのなかでもポリオキシエチレンアルキルエーテル又はポリプロピレングリコールエチレンオキサイド付加物等を含むことが好ましい。そして、親水処理剤の繊維への付与量は、親水処理剤の種類によって異なるので特に限定はしないが、繊維に対し、固形分換算で０．０２〜５質量％付与することが好ましく、より好ましくは０．０５〜１質量％であり、もっとも好ましくは０．１〜０．５質量％である。
【００５５】
断熱材２０としては、例えば、グラスウールやロックウール等の無機繊維系断熱材、ポリエステルウール（ＰＥＴウール）やセルロースマットなどの有機繊維系断熱材、羊毛等の天然繊維系断熱材、発泡系断熱材などが挙げられ、材料コストや難燃性等の点から、特に無機繊維系断熱材が好ましく使用できる。
断熱材２０の形態としては、マット形状、ボード形状、シート形状などが適宜採用される。
断熱材２０としては早期の乾燥を図るために少なくとも一部が撥水性を有することが好ましい。さらに断熱材２０の上層部以外が撥水性を有していることが好ましい。撥水剤として、例えばオイル型、エマルション型、溶剤型等のシリコンやフッ素を用いることができる。
【００５６】
床用断熱材１０を製造するには、断熱材２０の底面２４に所定の大きさの支持材２５を貼着する。接着剤は特に限定しないが従来使用されるものを適宜使用することができる。
【００５７】
（実施例）
床用断熱材１０として、ＰＥＴ繊維からなる目付３０ｇ／ｍ２の不織布（支持材２５）に２級脂肪族アルコールのポリプロピレングリコールエチレンオキサイド付加物を含む親水剤を噴霧して乾燥した不織布を、撥水処理した２４ｋｇ／ｍ３、厚み８０ｍｍのグラスウール（断熱材２０）に貼着し、寸法３００ｍｍ×３００ｍｍの床用断熱材の試験体を作成した。この試験体の上面に水を８００ｇ注入し、下面（不織布側）より排水が開始されるまでの時間及び５分後の排水量を測定した。
【００５８】
（比較例）
実施例で用いた不織布に親水剤の処理を施さなかった以外は、実施例と同様の床用断熱材１０の試験体を作成した。
【００５９】
上記結果を表１に示す。
【００６０】
【表１】
2012033185.tif 000003
【００６１】
表１に示すように、親水性を有する不織布を貼着した床用断熱材は、親水性を有さない場合に比較して排水量が多く、排水開始時間も早い。
【００６２】
以上、説明した発明に係る床用断熱材１０によれば、親水剤を付与した支持材２５を貼着した床用断熱材１０は、支持材２５が排水を妨げることなく、雨水等が浸入した場合にも初期の排水性を高め、早期の乾燥を図ることができる。
なお、本発明の床用断熱材１０は、前述した各実施形態に限定されるものでなく、適宜な変形，改良等が可能である。
【００６３】
（第２実施形態の床断熱構造）
以下、本発明にかかる第２実施形態の床断熱構造について、図面を用いて説明する。
図３に示すように、第２実施形態にかかる床断熱構造１は、住宅等の枠体１１の間に床用断熱材１０を取り付けて、主に断熱を図るものである。床用断熱材１０は、枠体１１を構成する大引１２の間や大引１２の上の根太と根太の間に取付けられ、床用断熱材１０の上を覆うように、面材１３が取り付けられる。
なお、以下の説明においては、大引１２の間に断熱材２０を取り付ける場合について説明する。
【００６４】
図４乃至図６に示すように、第２実施形態にかかる床断熱構造１に使用される床用断熱材１０は、断熱材２０と支持材２５を有しており、断熱材２０は支持材２５を介して大引１２の間に取り付けられる。
【００６５】
図４に示す床断熱構造１Ａでは、支持材２５は、断熱材２０の下面２４全面に当接する底面部２５１と、幅方向両側に断熱材２０の側面２１に当接する厚み部２５２、２５２と、大引１２の上面１２３に当接する耳部２５３、２５３を有しており、両耳部２５３、２５３は大引１２の上面１２３に固定されている。
また、図５に示す床断熱構造１Ｂでは、支持材２５は、断熱材２０の下面２４全面に当接する底面部２５１と、幅方向一方の側に厚み部２５２を有し、さらに幅方向両側に耳部２５３、２５４を有する。一方の耳部２５３は大引１２の上面１２３に固定され、他方の耳部２５４は大引１２の下面１２１に固定されている。
また、図６に示す床断熱構造１Ｃでは、支持材２５は、断熱材２０の下面２４全面に当接する底面部２５１と、幅方向両側に耳部２５４、２５４を有しており、両耳部２５４、２５４は大引１２の下面１２１に固定されている。
さらに、図７に示すように、前述した床断熱構造１Ａ、１Ｂ、１Ｃにおいて、支持材２５が断熱材２０の下面２４に帯状に当接するように配置することもできる。なお、図７には、床断熱構造１Ａに適用する場合が示されている。
【００６６】
以下においては、図４に示した床断熱構造１Ａについて説明するが、他の床断熱構造１Ｂ、１Ｃについても同様である。
図４に示すように、支持材２５は、断熱材２０の水分を排出させることができる透湿性、断熱材が含水したときに水を通過させることができる排水性を有することが好ましい。支持材２５の形態としては特に限定せず、例えば、不織布、織物、メッシュ、ネット、有孔フィルムなどが挙げられ、排水可能な程度に支持材２５に孔を有していることが好ましく、排水効率を高めるために更にこれらに孔を開けることができる。
支持材２５の耳部２５３を枠体１１に取り付ける場合は、特に排水性、引裂き強度、屈曲性、経済性の観点から不織布を用いることが好ましい。
【００６７】
支持材２５として不織布や織物など繊維を用いる場合は、例えばポリエステル樹脂、ポリオレフィン樹脂等の有機繊維や、セルロース、パルプ等の天然繊維や、ガラス繊維等の無機繊維などを、接着、溶着等の手段でシート状に成形したものが使用できるが、引裂強度、耐屈曲性、経済性などの観点から、特に有機繊維を利用したものが好ましく使用される。
【００６８】
また、本発明の支持材２５は、少なくとも一部に親水剤が付与されていることを必須とする。親水剤は断熱材２０に接する部分に付与されていることが好ましい。
支持材２５は断熱材２０の両側面２１を覆い、フランジ状に延出して耳部２５３を構成した場合は、根太又は大引１２等の枠体の上面１２３に接する耳部２５３、更には断熱材２０の両側面２１を覆う厚み部２５２に、親水剤が付与されていないことが好ましい。これにより、枠体１２への吸水およびこの吸水による劣化やカビの発生を防止することができる。
更に支持材２５は枠体１１の側辺から５ｍｍ以上離れて親水剤が付与されていることが好ましい。更にまた、支持材２５は幅方向の中央部にのみ親水剤を付与し、枠体１１と接する部分に親水剤を有さないことも好適に採用される。
【００６９】
支持材２５に親水剤を付与する方法は特に限定しないが、支持材２５の基材に親水剤が均一に付与することが望ましい。具体的には、噴霧、塗布又は含浸させる方法や、バインダーを用いて繊維に結着させる場合はバインダーと共に親水剤を加えて用いる付着させる方法や、予め支持材２５を構成する有機繊維など親水剤を練り込んだもの等を用いることができる。なかでも支持材２５の基材に親水剤を噴霧、塗布又は含浸させ、乾燥させて得られる方法を用いることが、親水性効果を発現させやすく、また初期の性能に優れるためより好ましく採用される。
【００７０】
上記親水処理に用いる親水処理剤としては、特に限定は無く、従来公知の親水処理剤を用いることができ、アニオン系界面活性剤、ノニオン系界面活性剤、両性イオン界面活性剤等が好ましく挙げられ、これらの親水処理剤を、目的や用途に応じて適宜選択することができる。
【００７１】
上記アニオン系界面活性剤としては、脂肪酸ナトリウム、脂肪酸カリウム、アルファスルホ脂肪酸エステルナトリウム、アルキルベンゼンスルホン酸ナトリウム、アルキル硫酸エステルナトリウム、アルキルエーテル硫酸エステルナトリウム、アルファオレフィンスルホン酸ナトリウム、アルキルスルホン酸ナトリウム等が挙げられる、上記両性イオン界面活性剤としては、アルキルアミノ脂肪酸ナトリウム、アルキルベタイン、アルキルアミンオキシド等が挙げられる。上記ノニオン系界面活性剤としては、ポリオキシエチレンアルキルエーテル、ポリオキシエチレンアルキルフェニルエーテル、ポリプロピレングリコールエチレンオキサイド加物等のポリエチレングリコール型、ショ糖脂肪酸エステルソルビタン脂肪酸エステル、ポリオキシエチレンソルビタン脂肪酸エステル、脂肪酸アルカノールアミド等の多価アルコール型が挙げられ、これらを単独又は複数の組合せにより用いることができる。これらのなかでもポリオキシエチレンアルキルエーテル又はポリプロピレングリコールエチレンオキサイド付加物等を含むことが好ましい。そして、親水処理剤の繊維への付与量は、親水処理剤の種類によって異なるので特に限定はしないが、繊維に対し、固形分換算で０．０２〜５質量％付与することが好ましく、より好ましくは０．０５〜１質量％であり、もっとも好ましくは０．１〜０．５質量％である。
【００７２】
断熱材２０としては、例えば、グラスウールやロックウール等の無機繊維系断熱材、ポリエステルウール（ｐｅｔウール）やセルロースマットなどの有機繊維系断熱材、羊毛等の天然繊維系断熱材、発泡系断熱材などが挙げられ、材料コストや難燃性等の点から、特に無機繊維系断熱材が好ましい。
断熱材２０の形態としては、マット形状、ボード形状、シート形状などが適宜採用される。
断熱材２０としては早期の乾燥を図るために、少なくとも一部に撥水剤が付与されていることが好ましい。撥水剤として、例えばオイル型、エマルション型、溶剤型等のシリコンやフッ素を用いることができる。
【００７３】
次に、床断熱構造１の施工方法について説明する。なお、前述した床断熱構造１Ａ、１Ｂ、１Ｃを用いる場合について同様に適用できるので、床断熱構造１Ａを用いる場合について、図４に基づいて説明する。
まず、支持材２５の親水性を有しない耳部２５３を枠体１１の大引１２に固定して、大引１２間の空間に支持材２５の親水性を有する底面部２５１を配置する。
そして、大引１２間に断熱材２０を充填し、断熱材２０の下面２４を支持材２５の底面部２５１で支持する。
その後、大引１２及び断熱材２０の上部を面材１３で覆う。
なお、支持材２５の大引１２への固定は、大引１２の上面１２３に固定する方法、大引１２の下面１２１に固定する方法を適宜採用することができる。また、大引１２以外の枠体１１にも、同様に適用できる。
【００７４】
以上、説明した床断熱構造１によれば、支持材２５の少なくとも一部に親水剤が付与されている。このため、施工途中で断熱材２０に雨がかかった場合などでも、断熱材２０に浸入し下方に移動した水分が支持材２５から容易に排出され易く、迅速に水分を排出して、断熱材２０中の乾燥を早めることができる。
これにより、面材１３や枠体１１への吸水およびこの吸水による劣化やカビの発生を防止することができる。
【００７５】
また、支持材２５は、親水剤を噴霧、塗布又は含浸することにより得られているので、支持材２５の表面に親水剤が付着しており、支持材２５の排水性が向上する。
【００７６】
また、支持材２５に不織布を用いることにより排水性と強度を両立することができ、不織布に有機繊維を用いることで、軽量性、取り扱い性、施工性に優れる。
【００７７】
また、支持材２５の厚み部２５２及び耳部２５３で断熱材２０の下面２４から側面２１を覆うとともに、枠体１１上面と面材１３との間に支持材２５を挟持するので、支持材２５を介して断熱材２０を枠体１１に確実に取り付けることができる。
【００７８】
また、支持材２５が断熱材２０に接しない耳部２５３、２５４を有していることにより、枠体１１への固定が容易となり、根太１２間、大引間に容易に断熱材２０を施すことが可能となる。
【００７９】
また、支持材２５において枠材１１と当接する部分には親水剤を付与していないので、根太１２又は大引等の枠体１１や面材１３での保水及び吸水による劣化やカビの発生を防止することができる。
【００８０】
また、支持材２５は、枠材１１と当接する部分及び枠体１１側の端縁から５ｍｍ以内には親水剤が付与されていないので、根太１２又は大引等の枠体１１と面材１３での保水及び吸水による劣化やカビの発生を防止することができる。
【００８１】
また、支持材２５が断熱材２０の下面を帯状に支持している場合には、支持材２５により断熱材２０を支えると共に支持材２５が断熱材２０の全面ではなく部分的に配置されているため、断熱材２０に浸入し下方に移動した水分が支持材２５の底面部２５１及び断熱材２０の下面２４から容易に排水することができる。
【００８２】
また、以上説明した本発明の床断熱構造の施工方法によれば、最初に軽量で取り扱い性が容易な支持材２５を枠体１１に施工するので、比較的容易に取り回しや位置決めができ、親水剤が付与された部分を枠体１１間に確実に配置することができる。そして、枠体１１間に断熱材２０を充填し、枠体１１及び断熱材２０の上を面材１３で覆うので、容易に施工できる。
【００８３】
（第３実施形態の床断熱パネル）
次に、本発明にかかる第３実施形態の床断熱パネル３０について説明する。なお、前述した第２実施形態にかかる床断熱構造１と共通する部位には同じ符号を付して、重複する説明を省略することとする。
【００８４】
図８に示すように、第３実施形態にかかる床断パネル３０では、断熱材２０の下面を支持する支持材２５の耳部２５３が、断熱材２０よりも拡寸の面材１３の下面に取り付けられて、床断熱パネル３０を形成しており、この床断熱パネル３０を枠体１１間に取り付ける。
なお、支持材２５の少なくとも一部に親水剤が付与されていることは、第２実施形態の床断熱構造１と同様である。
【００８５】
以上、説明した床断パネル３０によれば、予め床板等の面材１３と断熱材２０と支持材２５が一体となっているため、枠体１１の上に載置すると同時に枠体１１内へ断熱材２０を充填することができ施工が極めて容易になる。
また、支持材２５の少なくとも一部に親水剤が付与されているので、施工途中で断熱材２０に雨がかかった場合などでも、断熱材２０に浸入し下方に移動した水分が支持材２５から容易に排出され易く、迅速に水分を排出して、断熱材２０中の乾燥を早めることができる。
これにより、面材１３への吸水およびこの吸水による劣化やカビの発生を防止することができる。
【００８６】
また、本発明の床断熱パネル３０によれば、支持材２５の耳部２５３と面材１３とが固定されており、かつ支持材２５は断熱材２０に当接する面の少なくとも一部に親水剤が付与されている。従って、予め床板等の面材１３と断熱材２０と支持材２５が一体となっているため、枠体１１の上に載置すると同時に枠体１１内へ断熱材２０を充填することができ施工が極めて容易になる。
また、支持材２５の少なくとも一部に親水剤が付与されているので、施工途中で断熱材２０に雨がかかった場合などでも、断熱材２０に浸入し下方に移動した水分が支持材２５から容易に排出され易く、迅速に水分を排出して、床断熱パネル中の乾燥を早めることができる。
さらに、面材１３を、断熱材２０の面に対して横幅及び縦幅よりも広くすることで、枠体１１に安定して載置することできる。
【００８７】
（実施例）
ＰＥＴ繊維からなる目付３０ｇ／ｍ２の不織布（支持材２５）に２級脂肪族アルコールのポリプロピレングリコールエチレンオキサイド付加物を含む親水剤を噴霧して乾燥した不織布を支持材２５として、内寸が３００ｍｍ×３００ｍｍの木枠体（１１）の長手方向に支持材２５をタッカーで固定し、床用断熱材１０として２４ｋｇ／ｍ３、寸法３００ｍｍ×３００ｍｍ×厚み８０ｍｍのグラスウール（断熱材２０）と、前記支持材２５を挟み込むようにして前記木枠体（１１）に充填した構造体を作成した。この試験体の上面に水を８００ｇ注入し、下面（不織布側）より排水が開始されるまでの時間及び５分後の排水量を測定した。
【００８８】
（比較例）
実施例で用いた不織布（２５）に親水剤の処理を施さなかった以外は、実施例と同様の床用断熱材１０の試験体を作成した。
【００８９】
上記結果は、先の表１に示したとおりである。
【００９０】
表１に示すように、親水性を有する不織布（２５）を貼着した床用断熱材１０は、親水性を有さない場合に比較して排水量が多く、排水開始時間も早い。
【００９１】
以上、説明した発明に係る床用断熱材１０によれば、親水剤を付与した支持材２５を貼着した床用断熱材１０は、支持材２５が排水を妨げることなく、雨水等が浸入した場合にも初期の排水性を高め、早期の乾燥を図ることができる。
【００９２】
以上、本発明の好ましい実施形態及び実施例について詳述したが、本発明は係る床用断熱材、床断熱構造及び床断熱構造の施工方法及び床断熱パネルは上述した実施形態及び実施例に限定されるものではなく、特許請求の範囲に記載された本発明の要旨の範囲内において、種々の変形、変更が可能である。
【産業上の利用の可能性】
【００９３】
本発明は、住宅等の建築物における床断熱構造において、迅速に水分を排出して断熱材の乾燥を早めることができ、特に湿度の高い環境においても住宅等の建設促進、高寿命化に役立つものである。
【符号の説明】
【００９４】
１、２  床断熱構造
１０  床用断熱材
１１  枠体
１２１  下面
１２３  上面
１３  面材
２０  断熱材
２１  側面
２４  下面（底面）
２５  支持材
２５３，２５４  耳部（端部）
３０  床断熱パネル
Ｈ  全体の厚さ
【図１】
2012033185.tif 000004
【図２】
2012033185.tif 000005
【図３】
2012033185.tif 000006
【図４】
2012033185.tif 000007
【図５】
2012033185.tif 000008
【図６】
2012033185.tif 000009
【図７】
2012033185.tif 000010
【図８】
2012033185.tif 000011
【図９】
2012033185.tif 000012
【国際調査報告】
2012033185.tif 000013
2012033185.tif 000014
2012033185.tif 000015
2012033185.tif 000016